(57)【要約】【課題】少ない操作で迅速に、変更値を目標値に合わせることができる操作装置を提供する。【解決手段】所定時間内にステップ変化指示を連続して受付けた回数をＣＰＵ１で計数してＲＡＭ７に記憶し、計数した回数が第１所定回数に達したか否かをＣＰＵ１で判定し、計数した回数が第１所定回数に達した場合、ＣＰＵ１によってステップ変化量を増加させる。ステップ変化量の増加後に計数した回数が第２所定値を下回ったか否かをＣＰＵ１で判定し、計数した回数が第２所定回数を下回った場合、ＣＰＵ１によってステップ変化量を減少させる。【選択図】　　　　図１
2004061770.tif 000002
【特許請求の範囲】
【請求項１】
ステップ変化を指示するステップ変化指示を受付け、ステップ変化量ずつ変更値を変化させる操作装置において、所定時間内にステップ変化指示を連続して受付けた回数を計数する計数手段と、計数した回数が第１所定回数に達した場合、ステップ変化量を増加させる変化量増加手段とを備えることを特徴とする操作装置。
【請求項２】
ステップ変化量の増加後に前記計数手段で計数した回数が第２所定値を下回った場合、ステップ変化量を減少させる変化量減少手段を備えることを特徴とする請求項１記載の操作装置。
【請求項３】
ステップ変化を指示するステップ変化指示を受付け、ステップ変化量ずつ変更値を変化させる操作装置において、所定時間内にステップ変化指示を連続して受付けた回数を計数する計数手段と、計数した回数が第１所定回数に達した場合、ステップ変化指示に関する操作情報を表示する表示手段とを備えることを特徴とする操作装置。
【発明の詳細な説明】
【０００１】
【発明の属する技術分野】
本発明は、受付けたステップ変化指示に応じて変更値をステップ変化量ずつ変化させる操作装置に関する。
【０００２】
【従来の技術】
コピー機、ファクシミリ装置、コピー及びファクシミリの複合機、または携帯電話等に用いられる操作装置には、移動対象（変更値）をステップ移動量（ステップ変化量）ずつ移動（変化）させる複数のステップ移動指示キー（ステップ変化指示キー）が設けられている。例えば、コピーの倍率（％）を、２つのステップ移動指示キーを押して、１％ずつ増加又は増減させる。通常は、等倍（１００％）を基準にして、倍率を増減させる。
【０００３】
【発明が解決しようとする課題】
しかし、例えば、倍率を１３０％に変更する場合は、ステップ移動指示キーを３０回押す必要がある。一般的には、４００％程度まで倍率の変更が可能であり、このようなステップ移動指示キーを繰り返し押す操作は、操作者にとって大きな負担である。
【０００４】
このようなステップ移動指示キーを繰り返し押す負担を軽減する方法として、ステップ移動指示キーを押え続けることにより、倍率を高速に増加又は減少させる長押し操作が可能な操作装置がある。例えば、倍率を２５０％に設定する場合、長押し操作によって２５０％付近まで高速に倍率を増加させ、その後、通常の間欠操作（繰り返し操作）によって１％ずつ倍率を増加又は減少させて、２５０％に合わせることが可能である。
【０００５】
しかし、長押し操作を知っている操作者は少なく、多くの操作者は、ステップ移動指示キーを繰り返し押して、１％ずつ倍率を増加又は減少させている。
【０００６】
本発明は斯かる事情に鑑みてなされたものであり、所定時間以内のステップ変化指示の繰返し回数が第１所定回数に達した場合、ステップ変化量を増加させることにより、長押し操作を知らない操作者であっても、少ない操作で迅速に、倍率等の変更値を目標値付近まで近づけることができる操作装置を提供することを目的とする。
【０００７】
また、本発明は、ステップ変化量を増加した後、所定時間以内のステップ変化指示の繰返し回数が少なくなって、第２所定回数を下回った場合、ステップ変化量を減少させることにより、倍率等の変更値を目標値に確実に合わせることができる操作装置を提供することを他の目的とする。
【０００８】
また、本発明は、長押し操作又はテンキー入力等のステップ変化指示に関する操作情報を表示することにより、長押し操作又はテンキー入力等の機能を知らない操作者に、前記機能を報知することができる操作装置を提供することを他の目的とする。
【０００９】
【課題を解決するための手段】
第１発明に係る操作装置は、ステップ変化を指示するステップ変化指示を受付け、ステップ変化量ずつ変更値を変化させる操作装置において、所定時間内にステップ変化指示を連続して受付けた回数を計数する計数手段と、計数した回数が第１所定回数に達した場合、ステップ変化量を増加させる変化量増加手段とを備えることを特徴とする。
【００１０】
第２発明に係る操作装置は、第１発明において、ステップ変化量の増加後に前記計数手段で計数した回数が第２所定値を下回った場合、ステップ変化量を減少させる変化量減少手段を備えることを特徴とする。
【００１１】
第３発明に係る操作装置は、ステップ変化を指示するステップ変化指示を受付け、ステップ変化量ずつ変更値を変化させる操作装置において、所定時間内にステップ変化指示を連続して受付けた回数を計数する計数手段と、計数した回数が第１所定回数に達した場合、ステップ変化指示に関する操作情報を表示する表示手段とを備えることを特徴とする。
【００１２】
第１発明においては、計数手段により、所定時間内にステップ変化指示を連続して受付けた回数を計数する。例えば倍率変更時に、増加キーを繰り返し押した場合、所定時間内に増加キーが連続的に押された回数を計数手段で計数する。計数した回数が第１所定回数に達した場合、変化量増加手段により、ステップ変化量を増加させる。例えば、ステップ変化量を１から２０に変更した場合、１度のステップ変化指示による倍率の変化が、１から２０に増加する。
【００１３】
第２発明においては、ステップ変化量の増加後に前記計数手段で計数した回数が第２所定値を下回った場合、変化量減少手段により、ステップ変化量を減少させる。例えば、倍率が目標値に近づいたために増加ボタンを押すのをやめたり、押す回数を減少させる等して、所定時間内に増加キーが連続的に押された回数が第２所定回数を下回った場合、ステップ変化量を減少させる。ステップ変化量を２０から１に減少させた場合、１度のステップ変化指示による倍率の変化が、２０から１に減少する。
【００１４】
第３発明においては、計数手段により、所定時間内にステップ変化指示を連続して受付けた回数を計数する。計数した回数が第１所定回数に達した場合、表示手段により、ステップ変化指示に関する操作情報を表示する。例えば、長押し操作が可能な場合は、長押し操作の案内を表示することが可能である。また、テンキーによる倍率等の変更値の入力が可能な場合は、テンキー入力の案内を表示することが可能である。
【００１５】
倍率を変更する増加キー及び減少キーのように、ステップ変化指示が加算及び減算等の２種類ある場合は、計数手段により、所定時間内に同一種類のステップ変化指示を連続して受付けた回数を計数することが好ましい。この場合、ステップ変化指示が例えば加算から減算に変わったとき等は、計数手段で計数されていた回数はリセットされ、ステップ変化量が増加していれば、ステップ変化量もデフォルト値にリセットされる。
【００１６】
【発明の実施の形態】
以下、本発明をその実施の形態を示す図面に基づいて具体的に説明する。
本説明においては、コピー機の機能を備え、原稿コピー及びファックシミリ送受信が行えるファクシミリ装置を例にして説明する。
【００１７】
（第１の実施の形態）
図１に本発明に係る、ステップ移動（ステップ変化）を指示するステップ移動指示（ステップ変化指示）を受付け、移動対象（変更値）をステップ移動量（ステップ変化量）ずつ移動（変化）させる操作装置を備えたファクシミリ装置の例を示す。移動対象は、コピーの倍率等の数値を含み、移動は、数値の増減を含む。
【００１８】
ファクシミリ装置は、制御部（ＣＰＵ：Ｃｅｎｔｒａｌ　Ｐｒｏｃｅｓｓｉｎｇ　Ｕｎｉｔ）１と、原稿を読取る読取部２と、ファクシミリ通信が可能なファックスモデム（以下、モデム）９と、公衆電話回線網等のアナログ回線Ｌとの閉結及び開放を制御するＮＣＵ（Ｎｅｔｗｏｒｋ　Ｃｏｎｔｒｏｌ　Ｕｎｉｔ）１０と、ファクシミリ受信画像又は読取部２で読取った原稿画像を用紙に記録する記録部３と、ファクシミリ装置の操作に使用する各種キーを備える操作部５と、ファクシミリ装置の動作状態又は操作部５から入力された文字等を表示する表示部４と、ファクシミリ装置の動作に必要な種々のプログラム及びデータが記憶されるＲＯＭ（Ｒｅａｄ　Ｏｎｌｙ　Ｍｅｍｏｒｙ）６と、プログラムの実行時に発生する一時的なデータ等を記憶するＲＡＭ（Ｒａｎｄｏｍ　Ａｃｃｅｓｓ　Ｍｅｍｏｒｙ）７と、読取部２で読取った原稿画像又はファクシミリ受信画像等を記憶する画像メモリ８と、画像データを符号化又は復号化するＣＯＤＥＣ１１とを備える。
【００１９】
上述したハードウェア各部（１〜１１）は、バス１２に接続されており、ＣＰＵ１によって制御される。ＣＰＵ１は、ＲＯＭ６に記憶されたコンピュータプログラムを読出して、種々の機能を実行する。第１記憶部であるＲＯＭ６には、ステップ移動量（１度のステップ移動指示による移動対象の移動量）のデフォルト値（以下、デフォルト移動量）と、後述する第１所定回数及び第２所定回数が記憶されている。
【００２０】
操作部５は、ファックスの送信又はコピーの開始等に使用するスタートキー、実行中の処理の中止又は設定のクリア等に使用するクリアキー、設定項目の表示及び表示する設定項目の変更等に使用するメニューキー、前記設定項目内の各設定の選択等に使用する選択キー、ＦＡＸ番号等の数字の入力に使用するテンキー等を備える。表示部４をタッチパネル方式とすることにより、操作部５の各種キーの一部または全部を代用することも可能である。
【００２１】
本実施の形態においては、操作部５は、十字キー２２を備える。表示部４及び操作部５の一部分５ａを図２（ａ）に示す。図２（ａ）の例では、表示部４の近傍に、上下左右の４方向の入力が可能な十字キー２２が設けられている。十字キー２２は、ステップ移動指示を受付けることが可能である。例えば、十字キー２２の上方向又は下方向の入力により、コピーの倍率（変更値）を増加又は減少させることが可能である。
【００２２】
ＣＰＵ１は、所定時間内にステップ移動指示を連続して受付けた回数を計数する手段として動作し、計数した回数（以下、指示回数）を第２記憶部であるＲＡＭ７に記憶する。ただし、ステップ移動指示が増加（加算）及び減少（減算）の２種類あるため、本説明では、所定時間内に同一種類のステップ移動指示を連続して受付けた回数を計数する。ＣＰＵ１は、指示回数の計数中にステップ移動指示の種類が、例えば増加から減少に変わった場合、指示回数をリセットする。
【００２３】
また、ＣＰＵ１は、計数した回数が第１所定回数に達した場合、ステップ移動量を増加させる手段として動作する。例えば、ＣＰＵ１により、ＲＡＭ７に記憶されている指示回数とＲＯＭ６に記憶されている第１所定回数とを比較し、指示回数の方が大きい場合は、ＲＡＭ７に記憶されている現在のステップ移動量を更新する。ただし、ＣＰＵ１は、ステップ移動量が増加した状態において、指示回数の計数中にステップ移動指示の種類が、例えば増加から減少に変わった場合、現在のステップ移動量をデフォルト移動量にリセットする。
【００２４】
ＣＰＵ１は、ステップ移動量の増加後に前記計数手段で計数した回数が第２所定回数を下回った場合、ステップ移動量を減少させる手段として動作する。ここで、ステップ移動量の増加後とは、ＲＡＭ７に記憶されている現在のステップ移動量がデフォルト移動量より大きい状態にあるときである。例えば、ＣＰＵ１により、ＲＡＭ７に記憶されている指示回数とＲＯＭ６に記憶されている第２所定回数とを比較し、指示回数の方が小さい場合は、ＲＡＭ７に記憶されている現在のステップ移動量をデフォルト移動量等に更新する。
【００２５】
次に、本発明に係る操作装置を用いたステップ移動量の増減について、コピーの倍率の変更を例にして説明する。倍率の増減は、例えばメニューキーを操作する等して、倍率変更モードに切換えて行う。また、ＲＡＭ７には、ステップ移動量として、ＲＯＭ６に記憶されているデフォルト移動量が記憶されている。
【００２６】
ステップ移動量の増減手順の例を図３に示す。十字キー２２が押されて、ステップ移動指示が開始された（Ｓ１０）ときから、ＣＰＵ１により、所定時間内に同一種類のステップ移動指示を連続して受付けた回数（指示回数）が計数され（Ｓ１２）、ＲＡＭ７に記憶される。指示回数の計数は、ステップ移動指示が継続している間、所定時間毎に連続して行われる。ステップ移動指示が終了した場合（Ｓ１４：ＹＥＳ）は、処理を終了する。ステップ移動指示の終了は、ＣＰＵ１により、例えばスタートキーが押されて、コピーの開始が指示されたこと等から判定する。また、指示回数の計数中にステップ移動指示の種類が、例えば増加から減少に変わった場合、ＣＰＵ１により、指示回数及びステップ移動量（変更されている場合）はリセットされ、図３に示す手順が再実行される。
【００２７】
ステップ移動指示が続行されている場合（Ｓ１４：ＮＯ）は、ＣＰＵ１により、ＲＯＭ６に記憶されている第１所定回数とＲＡＭ７に記憶されている指示回数とを比較する（Ｓ１６）。指示回数の方が小さい場合（Ｓ１６：ＮＯ）は、指示回数の計数を続行する（Ｓ１２）。指示回数の方が大きい場合（Ｓ１６：ＹＥＳ）は、ＣＰＵ１により、ステップ移動量を増加させ（Ｓ１８）、指示回数の計数を続行する（Ｓ２０）。例えば、ＣＰＵ１１により、ＲＡＭ７に記憶されているステップ移動量を１（デフォルト移動量）から１０に更新する。
【００２８】
ステップ移動指示が終了した場合（Ｓ２２：ＹＥＳ）は、処理を終了する。ステップ移動指示が続行されている場合（Ｓ２２：ＮＯ）は、ＣＰＵ１により、ＲＯＭ６に記憶されている第２所定回数とＲＡＭ７に記憶されている指示回数とを比較する（Ｓ２４）。指示回数の方が大きい場合（Ｓ２４：ＮＯ）は、指示回数の計数を続行する（Ｓ２０）。指示回数の方が小さい場合（Ｓ２４：ＹＥＳ）は、ＣＰＵ１により、ステップ移動量を減少させ（Ｓ２６）、指示回数の計数を続行する（Ｓ１２）。例えば、ＣＰＵ１１により、ＲＡＭ７に記憶されているステップ移動量を、ＲＯＭ６に記憶されているデフォルト移動量に更新する。
【００２９】
（第２の実施の形態）
第１の実施の形態においては、所定時間内のステップ移動指示の繰返し回数に応じて、ステップ移動量を変化させたが、ステップ移動量を変化させる代わりに、長押し操作の案内等の操作情報を表示部（表示手段）４に表示することも可能である。以下、第１の実施の形態で説明したファクシミリ装置と同様の図４に示すファクシミリ装置を例にして、長押し操作を案内する場合について説明する。
【００３０】
図４に示すファクシミリ装置は、図１に示すファクシミリ装置と同様に、制御部（ＣＰＵ）１、読取部２、記録部３、表示部（表示手段）４、操作部５、ＲＯＭ６、ＲＡＭ７、画像メモリ８、モデム９、ＮＣＵ１０、ＣＯＤＥＣ１１を備える。各部１〜１１及びバス１２は、第１の実施の形態と同様である。ただし、第１記憶部であるＲＯＭ６には、デフォルト移動量及び第１所定回数と、長押し操作の案内メッセージが記憶されている。また、第２記憶部であるＲＡＭ７には、指示回数が記憶される。
【００３１】
ＣＰＵ１は、所定時間内に同一種類のステップ移動指示を連続して受付けた回数（指示回数）を計数する手段として動作し、ＲＡＭ７に指示回数を記憶する。ただし、ＣＰＵ１は、指示回数の計数中にステップ移動指示の種類が、例えば増加から減少に変わった場合、指示回数をリセットする。また、ＣＰＵ１及び表示部４は、計数した回数が第１所定回数に達した場合、ステップ移動指示に関する操作情報を表示する手段として動作する。例えば、ＣＰＵ１により、ＲＡＭ７に記憶されている指示回数とＲＯＭ６に記憶されている第１所定回数とを比較し、指示回数の方が大きい場合は、ＲＯＭ６に記憶されている案内メッセージを読出して、表示部４に表示する。
【００３２】
案内メッセージの表示手順の例を図５に示す。十字キー２２が押されて、ステップ移動指示が開始された（Ｓ１０）ときから、ＣＰＵ１により、所定時間内に同一種類のステップ移動指示を連続して受付けた回数（指示回数）が計数され（Ｓ１２）、ＲＡＭ７に記憶される。ステップ移動指示が終了した場合（Ｓ１４：ＹＥＳ）は、処理を終了する。また、指示回数の計数中にステップ移動指示の種類が、例えば増加から減少に変わった場合、ＣＰＵ１により、指示回数はリセットされ、図５に示す手順が再実行される。
【００３３】
ステップ移動指示が続行されている場合（Ｓ１４：ＮＯ）は、ＣＰＵ１により、ＲＯＭ６に記憶されている第１所定回数とＲＡＭ７に記憶されている指示回数とを比較する（Ｓ１６）。指示回数の方が小さい場合（Ｓ１６：ＮＯ）は、指示回数の計数を続行する（Ｓ１２）。指示回数の方が大きい場合（Ｓ１６：ＹＥＳ）は、ＣＰＵ１により、案内メッセージをＲＯＭ６から読出し、表示部４に表示する。例えば図２（ｂ）に示すように、長押し操作の案内メッセージを表示する（Ｓ３０）。
【００３４】
その後、ステップ移動指示が続行されている場合（Ｓ３２：ＮＯ）は、表示を続行する（Ｓ３０）。ステップ移動指示が終了した場合（Ｓ３２：ＹＥＳ）は、処理を終了する。
【００３５】
上述した実施の形態においては、十字キー２２を用いて、倍率を設定したが、選択キーを使用して倍率を設定することも可能である。図６（ａ）に、表示部４及び選択キー２４を有する操作部５の一部分５ｂの例を示す。図６（ａ）の例では、表示部４近傍に３つの選択キー２４ａ、２４ｂ及び２４ｃが設けられており、例えば選択キー２４ａ，２４ｂが、夫々倍率（変更値）の増加，減少に使用され、選択キー２４ｃがキャンセルに使用される。また、表示部４がタッチパネルの場合は、図６（ｂ）に示すように、表示部４上に倍率の増加ボタン２６ａ及び減少ボタン２６ｂを設定することが可能である。
【００３６】
また、テンキーを使用して倍率を入力することも可能である。図７に、表示部４及びテンキー２８等を有する操作部５の一部分５ｃの例を示す。図７の例では、表示部４の近傍にテンキー２８及び選択キー２４が設けられている。第２の実施の形態と同様にして、テンキー入力の案内メッセージを表示部４に表示することが可能である。長押し操作の案内及びテンキー入力の案内を同時に表示することも勿論可能である。
【００３７】
第１の実施の形態においては、１段階だけステップ移動量を増加させているが、複数段階増加させることも可能である。例えば、デフォルト移動量と第１段階移動量及び第２段階移動量をＲＯＭ６に記憶しておき、同一種類のステップ移動指示の繰り返し回数が第１所定回数に達した場合は、デフォルト移動量から第１段階移動量に増加させ、切換え後に同一種類のステップ移動指示の繰り返し回数が第３所定回数に達した場合は、第１段階移動量から第２段階移動量に増加させる。また、上述した実施の形態では、増加（加算）及び減少（減少）の２種類のステップ移動指示を例に説明したが、１種類又は３種類以上のステップ移動指示に本発明を適応することも可能である。
【００３８】
上述した実施の形態においては、デフォルト移動量、第１所定回数及び第２所定回数を、ＲＯＭ６に記憶したが、フラッシュメモリ等の任意の記憶部に記憶することが可能である。フラッシュメモリ等の不揮発性ＲＡＭにデフォルト移動量、第１所定回数及び第２所定回数を記憶した場合、ユーザ側で各設定値を変更することが可能になる。
【００３９】
【発明の効果】
第１発明によれば、ステップ変化指示を繰り返し行い、所定時間内の指示回数が第１所定回数に達した場合、ステップ変化量が増加される。ステップ変化量が増加することにより、１度のステップ変化指示による変更値の変化量が大きくなり、長押し操作を知らない操作者であっても、少ない操作で迅速に、変更値を目標値付近まで近づけることができる。
【００４０】
第２発明によれば、ステップ変化量を増加した後、変更値が目標値付近に近づく等により、ステップ変化指示の繰返しが少なくなり、所定時間内の指示回数が第２所定回数を下回った場合、ステップ変化量が減少される。例えば、増加前のステップ変化量に戻す。増加前のステップ変化量に戻すことにより、変更値を目標値に確実に合わせることができる。
【００４１】
第３発明によれば、ステップ変化指示を繰り返し行って、所定時間内の指示回数が第１所定回数に達した場合、長押し操作又はテンキー入力等のステップ変化指示に関する操作情報が表示される。操作情報を表示することにより、長押し操作又はテンキー入力等の機能を知らない操作者に、前記機能を報知することができる。
【図面の簡単な説明】
【図１】本発明に係る操作装置を備えたファクシミリ装置の例を示すブロック図である。
【図２】表示部及び操作部の一部分を示す図である。
【図３】ステップ移動量の増減手順の例を示すフローチャートである。
【図４】本発明に係る操作装置を備えたファクシミリ装置の例を示すブロック図である。
【図５】案内メッセージの表示手順の例を示すフローチャートである。
【図６】表示部及び操作部の一部分を示す図である。
【図７】表示部及び操作部の一部分を示す図である。
【符号の説明】
１　制御部（計数手段、変化量増加手段、変化量減少手段）
４　表示部（表示手段）
５　操作部
２２　十字キー
【図１】
2004061770.tif 000003
【図２】
2004061770.tif 000004
【図３】
2004061770.tif 000005
【図４】
2004061770.tif 000006
【図５】
2004061770.tif 000007
【図６】
2004061770.tif 000008
【図７】
2004061770.tif 000009